【事件の表示】
　特願２００４−２１８７８７「電気掃除機」拒絶査定不服審判事件〔平成１８年２月９日出願公開、特開２００６−３４５９３号〕について、次のとおり審決する。
【結　論】
　本件審判の請求は、成り立たない。
【理　由】
第１　手続の経緯 　
 　本願は、平成１６年７月２７日の出願であって、平成２０年６月２４日付け拒絶理由通知に応答して、平成２０年８月２５日に明細書を対象とする手続補正がなされたが、平成２０年９月２２日付けで拒絶査定され、これに対して平成２０年１０月３０日に拒絶査定不服審判の請求がなされるとともに明細書を対象とする手続補正がなされたものである。 　
　  
第２　平成２０年１０月３０日付け手続補正についての補正却下の決定　
［補正却下の決定の結論］　
　平成２０年１０月３０日付け手続補正（以下、「本件補正」という）を却下する。　
［理由］　
１．本件補正の内容
　本件補正は、平成２０年８月２５日付けで補正された明細書を更に補正するものであり、請求項１に関する以下の補正を含んでいる。なお、下線は補正箇所を示す。　
　
＜補正前の請求項１＞
「ホースが接続された手元ハンドル部と、
本体管とノズル部からなり前記本体管が
の本体管
　前記
手元ハンドル部に接続される
切換弁を設けたホースユニットを備えた
　
＜補正後の請求項１＞
「ホースが接続された手元ハンドル部と、
該
　
前記アタッチメント本体部を、一端が前記手元ハンドル部に接続され他端に前記延長パイプが接続される本体管と、一端に通気口を有し該通気口を前記本体管に設けた分岐風路に整合させて該本体管に一体的に取付けたノズル部と、前記本体管の延長パイプ接続部に設けらればねに付勢されて該本体管の開口部又は前記分岐風路を開閉する切換弁と、前記本体管上に設けられて接続された延長パイプをロックするロックレバーと、該ロックレバーを駆動する可動素子とによって構成し、
　前記アタッチメント本体部の本体管に延長パイプを接続すると、
前記切換弁により
前記切換弁により
構成
  　
２．新規事項追加の有無、補正の目的の適否　
　この補正は、本願の願書に最初に添付した明細書及び図面の実施例に関する記載を参照すれば、新規事項を追加するものではない。　
　また、この補正により、アタッチメント本体部の構成について、本体管とノズル部からなり本体管が手元ハンドル部に着脱可能に接続されるとしか限定がなかったものを「手元ハンドル部に着脱可能に接続されるアタッチメント本体部」であって、「アタッチメント本体部を、一端が前記手元ハンドル部に接続され他端に前記延長パイプが接続される本体管と、一端に通気口を有し該通気口を前記本体管に設けた分岐風路に整合させて該本体管に一体的に取付けたノズル部と、前記本体管の延長パイプ接続部に設けらればねに付勢されて該本体管の開口部又は前記分岐風路を開閉する切換弁と、前記本体管上に設けられて接続された延長パイプをロックするロックレバーと、該ロックレバーを駆動する可動素子とによって構成」するとして限定するものである。　
　したがって、本件補正は、補正前の請求項１に記載されたアタッチメント本体部の構成を限定して特定する補正を含むものであり、特許請求の範囲の減縮を目的とするものに該当する。　
　そこで、本件補正後の請求項１に記載された事項により特定される発明が特許出願の際独立して特許を受けることができるものであるか（平成１８年法律第５５号改正附則第３条第１項によりなお従前の例によるとされる同法による改正前の特許法（以下、「改正前特許法」という。）第１７条の２第５項において準用する同法第１２６条第５項の規定に適合するか）について以下に検討する。　
　
３．本願補正発明
　補正後の本願の請求項１に係る発明（以下、「本願補正発明」という。）は、上記「本件補正」において、補正後の請求項１に記載された事項により特定される次のとおりのものである。　　
　
「ホースが接続された手元ハンドル部と、該手元ハンドル部に着脱可能に接続されるアタッチメント本体部と、該アタッチメント本体部に着脱可能に接続される延長パイプと、該延長パイプに着脱可能に接続される床ブラシとを有し、
　前記アタッチメント本体部を、一端が前記手元ハンドル部に接続され他端に前記延長パイプが接続される本体管と、一端に通気口を有し該通気口を前記本体管に設けた分岐風路に整合させて該本体管に一体的に取付けたノズル部と、前記本体管の延長パイプ接続部に設けらればねに付勢されて該本体管の開口部又は前記分岐風路を開閉する切換弁と、前記本体管上に設けられて接続された延長パイプをロックするロックレバーと、該ロックレバーを駆動する可動素子とによって構成し、
　前記アタッチメント本体部の本体管に延長パイプを接続すると、前記切換弁により該延長パイプから前記本体管に至る風路が開放されると共に前記ノズル部から前記本体管に至る風路が閉塞されて前記延長パイプから空気を吸引し、前記延長パイプを取外すと、前記切換弁により前記延長パイプから前記本体管に至る風路が閉塞されると共に前記ノズル部から前記本体管に至る風路が開放されて前記ノズル部から空気を吸引するように構成したことを特徴とする電気掃除機。」
　
 ４．刊行物、及び刊行物に記載された発明 
　原査定の拒絶理由に引用された本願出願前に頒布された刊行物である実願平３−１１１６３６号（実開平５−５１２３１号）のＣＤ−ＲＯＭ（以下「刊行物１」という。）には、以下の事項が図面とともに記載されている。　
　
（ａ）段落【０００３】
「【０００３】
　【本考案が解決しようとする課題】
　従来の電気掃除機は掃除をする場所に応じてＴ字状のノズルやクレバスノズル等を操作パイプの先端部に差替えて使用しなければならなかった。
　このため、ノズルの差替え作業が面倒であるという欠点があるとともに、差替えて使用するノズルの収納保管が面倒で、必要な時に見つけ出すのに苦労するという欠点があった。」　
（ｂ）段落【０００４】
「【０００４】
　本考案は以上のような従来の欠点に鑑み、床面の清掃作業と角部等のクレバス部位の清掃作業とを開閉弁の操作だけで簡単にでき、楽に、きれいに清掃作業を行なうことができる電気掃除機を提供することを目的としている。」
（ｃ）段落【０００５】
「【０００５】
　　【課題を解決するための手段】
　上記目的を達成するために、本考案は電気掃除機本体と、この電気掃除機本体の吸引口に接続された可撓性の接続パイプと、この接続パイプに接続された先端部にＴ字状のノズルが取付けられた操作パイプと、この操作パイプの後端部寄りの部位あるいは前記接続パイプの先端部寄りの部位に形成された該操作パイプあるいは接続パイプの通路と連通する補助通路が形成された補助パイプと、この補助パイプの補助通路と前記通路とを選択的に開閉する切替弁と、前記補助パイプに可撓性の補助接続パイプを介して取付けられた先端部にクレバスノズルが取付けられた補助操作パイプと、この補助操作パイプを前記操作パイプに係止させる係止具とで電気掃除機を構成している。」
（ｄ）段落【０００９】
「【０００９】
　３は前記電気掃除機本体１の吸引口４に着脱可能に取付けられた可撓性の接続パイプで、この接続パイプ３は前記吸引口４に着脱可能に取付けられる連結管５と、この連結管５に接続された可撓性の接続パイプ本体６と、この接続パイプ本体６の先端部に接続されたホ―スグリップ７とから構成されている。」
（ｅ）段落【００１０】
「【００１０】
　８は前記接続パイプ３に接続された操作パイプで、この
操作パイプ８の先端部には床面のゴミを吸引するＴ字状のノズル９が着脱可能に取付けられている。
　なお、前記操作パイプ８は長さ調整できるように接続可能に複数個に分離した構造にしたものを用いてもよい。」　
（ｆ）段落【００１１】
「【００１１】
　１０は前記操作パイプ８の後端部に形成された該操作パイプ８の通路８ａと連通する補助通路１１が形成された補助パイプである。」　
（ｇ）段落【００１２】
「【００１２】
　１２は前記補助通路１１と前記通路８ａとを選択的に開閉する前記操作パイプ８の後端部に備えられた切替弁である。」　
（ｈ）段落【００１３】
「【００１３】
　１３は前記補助パイプ１０に伸縮可能な可撓性の補助操作パイプ１４を介して取付けられた補助操作パイプで、この補助操作パイプ１３の先端部には角部やクレバス部位のゴミを吸引するクレバスノズル１５が形成されている。」　
（ｉ）段落【００１５】〜【００１６】
「【００１５】
　上記構成の電気掃除機１７は床面の清掃作業を行なう場合、切替弁１２で補助パイプ１３の通路が閉路されているので、操作パイプ８の先端部にＴ字状のノズル９を取付け、電気掃除機本体１を駆動させＴ字状のノズル９、操作パイプ８、接続パイプ３を介してゴミを吸引することができる。
【００１６】
　角部やクレバス部の清掃作業を行なう場合、切替弁１２を切替え、操作パイプ８の通路８ａを閉路すると、クレバスノズル１５、補助操作パイプ１３、補助接続パイプ１４および接続パイプ３を介して電気掃除機１にゴミを吸引することができる。」
（ｊ）段落【００１８】
「【００１８】
　図５および図６の本考案の第２の実施例において、前記本考案の第１の実施例と主に異なる点は、
接続パイプ３のホ―スグリップ７Ａに補助パイプ１０を形成し、該補助パイプ１０の補助通路１１と通路８ａとを選択的に開閉する切替弁１２を備えた
　
（下線は当審が付したものである。）
　
　そして、上記各記載、図５及び図６から次の事項は明白である。　
・特に記載（ｅ）から、操作パイプとＴ字状のノズルは着脱可能に接続されていること。
・特に記載（ｊ）、図５及び図６から、ホースグリップの接続パイプから操作パイプに至る部分を本体部分と呼ぶこととすると、ホースグリップは、その本体部分に補助パイプが形成されており、内部で流路が分岐していること。すなわち、本体部分からみた分岐路と補助パイプ側からみた通気開口は整合しており、補助パイプは本体部分に一体的に取り付けられていること。
・特に記載（ｊ）、図５及び図６から、切替弁は、ホースグリップの本体部分の開口と分岐路を選択的に開閉することにより、空気を吸引する際の通路を切り替え可能なこと。
　
  したがって、刊行物１には次の発明が記載されているものと認められる。　
「接続パイプが接続されたホースグリップと、該ホースグリップに接続される操作パイプと、該操作パイプに着脱可能に接続されるＴ字状のノズルとを有し、
　前記ホースグリップを、操作パイプが接続される本体部分と、一端に通気開口を有し該通気開口を前記本体部分に設けた分岐路に整合させて該本体部分に一体的に取付けた、先端にクレバスノズルを有する補助パイプと、前記本体部分の操作パイプ接続部に設けられ該本体部分の開口又は前記分岐路を開閉する切替弁とによって構成し、　
　切替弁の操作により、操作パイプからホースグリップの本体部分に至る通路が開放されると共に前記補助パイプから前記ホースグリップの本体部分に至る通路が閉塞されて操作パイプから空気を吸引することと、操作パイプからホースグリップの本体部分に至る通路が閉塞されると共に前記補助パイプからホースグリップの本体部分に至る通路が開放されて前記補助パイプから空気を吸引することとを切り替えるように構成した電気掃除機。」（以下、この発明を「引用発明」という。）　
　
５．対比 　
　本願補正発明と引用発明とを対比すると、その文言上の意義、構造及び機能等からみて、引用発明における「接続パイプ」は、本願補正発明の「ホース」に相当し、以下同様に、「操作パイプ」は「延長パイプ」に、「本体部分」は「本体管」に、「切替弁」は「切換弁」に、「通気開口」は「通気口」に、「先端にクレバスノズルを有する補助パイプ」は「ノズル部」に、「開口」は「開口部」に、「分岐路」は「分岐風路」に、「通路」は「風路」にそれぞれ相当する。　
　そして、引用発明におけるホースグリップは、接続パイプと操作パイプとを連結する役割を有しているとともに、「グリップ」という名称や一般的な掃除機の使用形態を踏まえると、掃除機の使用者が操作のために把持する箇所であることは明らかである。また、ホースグリップはその内部で流路が分岐する構造となっている。　
　一方、本願補正発明の「手元ハンドル部」は、ホースが接続されているとともに、掃除機使用時の把持部として機能しており、「アタッチメント本体部」は、延長パイプが接続されるとともに、内部で流路が分岐する構造となっている。　
　これらを踏まえると、引用発明における「先端にクレバスノズルを有する補助パイプ」と「ホースグリップ」とを併せたものは、本願補正発明における「手元ハンドル部」と「アタッチメント本体部」とを併せた機能及び構造を有しているから、引用発明における「先端にクレバスノズルを有する補助パイプ」と「ホースグリップ」とを併せたものと、本願補正発明における「手元ハンドル部」と「アタッチメント本体部」とを併せたものとは、「分岐風路を有する操作部」の限りで一致している。　　　
　さらに、本願補正発明の「床ブラシ」と引用発明の「Ｔ次状のノズル」とは「吸引部」の限りで一致するから、両者の一致点及び相違点は次のとおりである。　
　
〈一致点〉　
「ホースが接続された分岐風路を有する操作部と、該操作部に接続される延長パイプと、該延長パイプに着脱可能に接続される吸引部とを有し、
　前記操作部を、延長パイプが接続される本体管と、一端に通気口を有し該通気口を前記本体管に設けた分岐風路に整合させて該本体管に一体的に取付けたノズル部と、前記本体管の延長パイプ接続部に設けられ該本体管の開口部又は前記分岐風路を開閉する切換弁とによって構成し、　
　切換弁により、延長パイプから本体管に至る風路が開放されると共に前記ノズル部から前記本体管に至る風路が閉塞されて延長パイプから空気を吸引し、延長パイプから本体管に至る風路が閉塞されると共に前記ノズル部から前記本体管に至る風路が開放されて前記ノズル部から空気を吸引するように構成した電気掃除機。」　　　
〈相違点１〉　　
　分岐風路を有する操作部に関し、本願補正発明においては、ホースが接続された手元ハンドル部と、手元ハンドル部に着脱可能に接続されるアタッチメント本体部とを有し、アタッチメント本体部を一端が手元ハンドル部に接続され他端に延長パイプが接続される本体管によって構成するのに対して、引用発明においては、ホースが接続された手元ハンドル部と、アタッチメント本体部とが一体化されてホースグリップとなっており、両者が着脱可能に接続されていない点。　
〈相違点２〉　　
　吸引部に関し、本願補正発明においては、床ブラシであるのに対して、引用発明においては、Ｔ字状のノズルであり、床ブラシを備えているか不明である点。　
〈相違点３〉
　本願補正発明においては、アタッチメント本体部を、本体管上に設けられて接続された延長パイプをロックするロックレバーと該ロックレバーを駆動する可動素子とによっても構成しているのに対して、引用発明においては、ホースグリップと操作パイプとが接続されているものの、その手段が不明である点。　
〈相違点４〉
　本願補正発明においては、「ばねに付勢」された切換弁を設けて「アタッチメント本体部の本体管に延長パイプを接続すると、前記切換弁により該延長パイプから前記本体管に至る風路が開放されると共に前記ノズル部から前記本体管に至る風路が閉塞されて前記延長パイプから空気を吸引し、前記延長パイプを取外すと、前記切換弁により前記延長パイプから前記本体管に至る風路が閉塞されると共に前記ノズル部から前記本体管に至る風路が開放されて前記ノズル部から空気を吸引するように構成」したのに対して、引用発明においては、切替弁がばねに付勢されているか不明であるものの、「切替弁の操作により、操作パイプからホースグリップの本体部分に至る通路が開放されると共に前記補助パイプから前記ホースグリップの本体部分に至る通路が閉塞されて操作パイプから空気を吸引することと、操作パイプからホースグリップの本体部分に至る通路が閉塞されると共に前記補助パイプからホースグリップの本体部分に至る通路が開放されて前記補助パイプから空気を吸引することとを切り替えるように構成」した点。　
　
６．判断  　
（１）相違点１について　
　電気掃除機の分野においては、使用者が操作のために把持する箇所、すなわち手元ハンドル部と吸引部との距離を可変として作業性を高めることや、収納性向上のために個々のパーツを分離可能な構成とすることは一般的な技術的課題であり、手元ハンドル部に直接、延長パイプを接続するために、手元ハンドル部とその隣接する部材とを着脱可能とすることは、特開２００３−２９００９８号公報（段落【００３２】及び図４（Ａ）、（Ｂ））に記載があるように本願出願前に周知な技術である。
　したがって、手元ハンドル部とアタッチメント本体部が機能的・構造的に一体化された引用発明のホースグリップに、上記周知技術を適用して、使用者が操作のために把持する箇所と、それに隣接する部材とを着脱自在として、本願補正発明の相違点１に係る構成とすることは、当業者が容易に想到し得ることである。　
　また、手元ハンドル部とアタッチメント本体部とを着脱自在としたことのみによる作業性や収納性の向上といった効果も当業者が十分に予測し得るものである。　
　
（２）相違点２について　
　電気掃除機の吸引部として床ブラシを採用することは、特開２００３−２０４９０８号公報（段落【００２５】及び図１）、特開２００４−１９５０４３号公報（段落【００１０】及び図１）や、本願明細書の段落【０００２】において「従来の電気掃除機のホースユニットは、一般に、・・・、延長パイプに着脱可能に接続された床ブラシとからなり、・・・。」と記載されているように本願出願前に周知な技術である。　
　したがって、引用発明１の吸引部として床ブラシを採用して、本願補正発明の相違点２に係る構成とすることは、当業者が容易に想到し得ることである。
　
（３）相違点３について　
　電気掃除機のパイプのロックをロックレバーと該ロックレバーを駆動する可動素子とによって行うことは、特開平９−２５３０１３号公報（段落【００１３】〜【００１６】、図７及び図８）、特開２００１−１７３６６号公報（段落【００２４】、【００２５】、及び図２０）に記載されているように本願出願前に周知な技術である。
　したがって、引用発明１の延長パイプの接続手段として、上記周知技術を採用して、本願補正発明の相違点３に係る構成とすることは、当業者が容易に想到し得ることである。
　　
（４）相違点４について　
　電気掃除機の分野において、パイプの接続や取り外しに連動させて切換弁を開閉させることで空気通路を切り替えを行うことは、特開平１−３２００３３号公報（第３頁右上欄第１６行〜右下欄第６行、図３〜５）、特開２００３−１５３８２８号公報（段落【０００５】、図１及び図２）に記載されているように本願出願前に周知な技術である。
　また、一般に、切換弁をばねにより付勢することも特開平１−３２００３３号公報（第３頁左上欄第１４〜１８行、図３〜５）に記載されているように本願出願前に周知な技術である。
　したがって、引用発明１の空気通路を切り換える手段として、これら周知技術を採用して、本願補正発明の相違点４に係る構成とすることは、当業者が容易に想到し得ることである。　
　　
（５）相違点についてのまとめ
　本願補正発明を全体構成でみても、本願補正発明によって奏される効果は、当業者の予測の範囲内のものであり、格別顕著な作用効果を奏するものではない。
　したがって、本願補正発明は、上記刊行物１に記載された発明及び周知技術に基いて当業者が容易に発明をすることができたものであり、特許法第２９条第２項の規定により独立して特許を受けることができないものである。
　
７．補正却下についてのむすび
　以上のとおり、本願補正発明は、特許出願の際に独立して特許を受けることができないものであるから、本件補正は、改正前特許法第１７条の２第５項において準用する同法第１２６条第５項の規定に違反するので、同法第１５９条第１項において読み替えて準用する同法第５３条第１項の規定により却下すべきものである。　
　
第３　本願発明  　
　本件補正は、上記のとおり却下されたので、本願の請求項１〜８に係る発明は、平成２０年８月２５日付けで補正された明細書の特許請求の範囲の請求項１〜８に記載された事項により特定されるとおりのものであるところ、請求項１は以下のとおりのものである。　
　
「ホースが接続された手元ハンドル部と、本体管とノズル部からなり前記本体管が手元ハンドル部に着脱可能に接続されるアタッチメント本体部と、該アタッチメント本体部の本体管に着脱可能に接続される延長パイプと、該延長パイプに着脱可能に接続される床ブラシとを有し、
　前記手元ハンドル部に接続されるアタッチメント本体部の本体管に延長パイプを接続すると、該延長パイプから前記本体管に至る風路が開放されると共に前記ノズル部から前記本体管に至る風路が閉塞されて前記延長パイプから空気を吸引し、前記延長パイプを取外すと、前記延長パイプから前記本体管に至る風路が閉塞されると共に前記ノズル部から前記本体管に至る風路が開放されて前記ノズル部から空気を吸引するようにした切換弁を設けたホースユニットを備えたことを特徴とする電気掃除機。」（以下、この発明を「本願発明」という）　
　
第４　引用例の記載事項　
　原査定の拒絶の理由に引用された刊行物、及びその記載事項は、前記第２、「４．刊行物、及び刊行物に記載された発明」に記載したとおりである。　　
第５　対比・判断　
　上記第２、「１．本件補正の内容」によれば、本願発明は、前記第２、「３．本願補正発明」から、アタッチメント本体部の詳細構成を省いたものである。　
　そうすると、本願発明の発明特定事項をすべて含み、さらに、他の発明特定事項を付加したものに相当する本願補正発明が、前記第２、「５．対比」及び「６．判断」で検討したように、引用発明及び周知技術に基づいて、当業者が容易に発明をすることができたものであるから、本願発明も、同様に、引用発明及び周知技術に基づいて、当業者が容易に発明をすることができたものである。　
　
第６　むすび　
　以上のとおり、本願発明は、本願出願前に頒布された刊行物に記載された発明及び周知技術に基づいて、当業者が容易に発明をすることができたものであり、特許法第２９条第２項の規定により特許を受けることができないから、他の請求項に係る発明を検討するまでもなく、本願は拒絶すべきものである。　
　よって、結論のとおり審決する。